(57)【要約】【目的】ユーザが広告を必ず閲覧するようにする。【構成】文字列53がクリックされると，１つの動画が３つに分割されたファイルの最初の分割動画ファイルがリクエストされる。文字列54がクリックされると，２番目の分割動画ファイルがリクエストされ，文字列55がクリックされると，３番目の分割動画ファイルがリクエストされる。最初の分割動画ファイルには広告データが挿入されているが，２番目と３番目の分割動画ファイルには広告データが挿入されていない。文字列54および55がクリックされた場合には，２番目の分割動画ファイルおよび３番目の分割動画ファイルに広告データが挿入される。広告データが挿入された分割動画ファイルが携帯電話に送信される。ユーザは広告を閲覧するようになる。【選択図】図５
2010199679.tif 000002
【特許請求の範囲】
【請求項１】
１つの動画ファイルが複数に分割されており，分割された複数の動画ファイルのうち，最初の動画ファイルに広告データが格納されている，そのような複数の分割動画ファイルをリクエストに応じて携帯電話に送信する動画ファイル送信サーバにおいて，
携帯電話から送信された動画ファイル・リクエストを受信する動画ファイル・リクエスト受信手段，
上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定するクリック・ファイル・リクエスト判定手段，
上記クリック・ファイル・リクエスト判定手段によってクリック・ファイル・リクエストと判定されたことに応じて，リクエストされた動画ファイルが複数の分割動画ファイルの最初の分割動画ファイルではないかどうかを判定するリクエスト・ファイル判定手段，
上記リクエスト・ファイル判定手段によって，リクエストされた動画ファイルが複数の分割動画ファイルの最初の分割動画ファイルではないと判定されたことに応じて，リクエストされた分割動画ファイルに広告データを挿入する広告データ挿入手段，および
上記広告データ挿入手段によって広告データが挿入された分割動画ファイルを，動画ファイル・リクエストを送信した携帯電話に送信する分割動画ファイル送信手段，
を備えた動画ファイル送信サーバ。
【請求項２】
１つの動画ファイルが複数に分割されている複数の分割動画ファイルを，リクエストに応じて携帯電話に送信する動画ファイル送信サーバにおいて，
携帯電話から送信された動画ファイル・リクエストを受信する動画ファイル・リクエスト受信手段，
上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定するクリック・ファイル・リクエスト判定手段，
上記クリック・ファイル・リクエスト判定手段によって，上記動画ファイル・リクエスト受信手段によって受信した動画ファイル・リクエストがクリック・ファイル・リクエストであると判定されたことに応じて，リクエストされた分割動画ファイルに広告データを挿入する広告データ挿入手段，
上記広告データ挿入手段によって広告データが挿入された広告挿入済分割動画ファイルにつづく後続分割動画ファイルが存在するかどうかを判定する後続分割動画ファイル判定手段，
上記後続分割動画ファイル判定手段によって，広告挿入済分割動画ファイルにつづく後続分割動画ファイルが存在すると判定されたことに応じて，広告挿入済分割動画ファイルが再生されたことによりその後続動画ファイルをリクエストする自動ファイル・リクエストを，広告挿入済分割動画ファイルに格納する自動ファイル・リクエスト格納手段，
上記後続分割動画ファイル判定手段によって後続分割動画ファイルが存在すると判定されたことに応じて，上記自動ファイル・リクエスト格納手段によって自動ファイル・リクエストが格納された広告挿入済分割動画ファイルを，動画ファイル・リクエストを送信した携帯電話に送信し，上記後続分割動画ファイル判定手段によって後続分割動画ファイルが存在しないと判定されたことに応じて，上記広告データ挿入手段によって広告データが挿入された広告挿入済分割動画ファイルを動画ファイル・リクエストを送信した携帯電話に送信する分割動画ファイル送信手段，
を備えた動画ファイル送信サーバ。
【請求項３】
上記クリック・ファイル・リクエスト判定手段によって，上記動画ファイル・リクエスト受信手段によって受信した動画ファイル・リクエストがクリック・ファイル・リクエストではないと判定されたことに応じて，上記動画ファイル・リクエスト受信手段において受信したリクエストが有効期限内のものかどうかを判定する有効期限判定手段，
上記有効期限判定手段によって，上記動画ファイル・リクエスト受信手段において受信したリクエストが有効期限内のものと判定されたことに応じて，上記リクエストされた動画ファイルに続く後続分割動画ファイルが存在する場合にそのリクエストされた動画ファイルの後続動画ファイルをリクエストする上記自動ファイル・リクエストを格納するように上記自動ファイル・リクエスト格納手段を制御する制御手段，および
上記有効期限判定手段によって，上記動画ファイル・リクエスト受信手段において受信したリクエストが有効期限外のものと判定されたことに応じて，動画ファイルをリクエストした携帯電話にエラー・メッセージを送信するエラー・メッセージ送信手段，
をさらに備えた請求項２に記載の動画ファイル送信サーバ。
【請求項４】
１つの動画ファイルが複数に分割されており，分割された複数の動画ファイルのうち，最初の動画ファイルに広告データが格納されている，そのような複数の分割動画ファイルをリクエストに応じて携帯電話に送信する動画ファイル送信サーバの動作制御方法において，
動画ファイル・リクエスト受信手段が，携帯電話から送信された動画ファイル・リクエストを受信し，
クリック・ファイル・リクエスト判定手段が，上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定し，
リクエスト・ファイル判定手段が，上記クリック・ファイル・リクエスト判定手段によってクリック・ファイル・リクエストと判定されたことに応じて，リクエストされた動画ファイルが複数の分割動画ファイルの最初の分割動画ファイルではないかどうかを判定し，
広告データ挿入手段が，上記リクエスト・ファイル判定手段によって，リクエストされた動画ファイルが複数の分割動画ファイルの最初の分割動画ファイルではないと判定されたことに応じて，リクエストされた分割動画ファイルに広告データを挿入し，
分割動画ファイル送信手段が，上記広告データ挿入手段によって広告データが挿入された分割動画ファイルを，動画ファイル・リクエストを送信した携帯電話に送信する，
動画ファイル送信サーバの動作制御方法。
【請求項５】
１つの動画ファイルが複数に分割されている複数の分割動画ファイルを，リクエストに応じて携帯電話に送信する動画ファイル送信サーバの動作制御方法において，
動画ファイル・リクエスト受信手段が，携帯電話から送信された動画ファイル・リクエストを受信し，
クリック・ファイル・リクエスト判定手段が，上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定し，
広告データ挿入手段が，上記クリック・ファイル・リクエスト判定手段によって，上記動画ファイル・リクエスト受信手段によって受信した動画ファイル・リクエストがクリック・ファイル・リクエストであると判定されたことに応じて，リクエストされた分割動画ファイルに広告データを挿入し，
後続分割動画ファイル判定手段が，上記広告データ挿入手段によって広告データが挿入された広告挿入済分割動画ファイルにつづく後続分割動画ファイルが存在するかどうかを判定し，
自動ファイル・リクエスト格納手段が，上記後続分割動画ファイル判定手段によって，広告挿入済分割動画ファイルにつづく後続分割動画ファイルが存在すると判定されたことに応じて，広告挿入済分割動画ファイルが再生されたことによりその後続動画ファイルをリクエストする自動ファイル・リクエストを，広告挿入済分割動画ファイル格納し，
分割動画ファイル送信手段が，上記後続分割動画ファイル判定手段によって後続分割動画ファイルが存在すると判定されたことに応じて，上記自動ファイル・リクエスト格納手段によって自動ファイル・リクエストが格納された広告挿入済分割動画ファイルを，動画ファイル・リクエストを送信した携帯電話に送信し，上記後続分割動画ファイル判定手段によって後続分割動画ファイルが存在しないと判定されたことに応じて，上記広告データ挿入手段によって広告データが挿入された広告挿入済分割動画ファイルを動画ファイル・リクエストを送信した携帯電話に送信する，
動画ファイル送信サーバの動作制御方法。
【発明の詳細な説明】
【技術分野】
【０００１】
この発明は，動画ファイル送信サーバおよびその動作制御方法に関する。
【背景技術】
【０００２】
携帯電話を用いて動画を閲覧できるように携帯電話に動画ファイルを送信するサービスが行われている。動画ファイルの映像形式，音声形式，多重化形式は実に様々なものがあるので，送信先のクライアント端末装置に対応する形式をもつ動画ファイルを送信するもの（特許文献１），クライアント端末装置の機種を判別し，判別された機種に対応する形式をもつ動画ファイルを送信するもの（特許文献２）などがある。
【０００３】
また，クライアント端末装置の受信容量が少ない場合に，動画ファイルを分割し，通信速度に応じて送信する動画ファイルの数を変更してストリーミング送信が中断しないようにするもの（特許文献３），あらかじめ分割された動画ファイルが，クライアント端末装置から要求された時刻に応じて送信されるもの（特許文献４）などがある。
【０００４】
さらに，クライアント端末装置の属性に応じて動画ファイルがフォーマット変換されるものもある（特許文献５）。
【０００５】
しかしながら，動画ファイルを分割した場合に広告データを挿入することは考えられていない。
【先行技術文献】
【特許文献】
【０００６】
【特許文献１】特開2004-88500号公報
【特許文献２】特開2004-222124号公報
【特許文献３】特開2000-184351号公報
【特許文献４】特開2000-201343号公報
【特許文献５】特開2006-343830号公報
【発明の概要】
【０００７】
この発明は，動画ファイルが分割された場合において広告データの挿入方法を提供することを目的とする。
【０００８】
第１の発明は，１つの動画ファイルが複数に分割されており，分割された複数の動画ファイルのうち，最初の動画ファイルに広告データが格納されている，そのような複数の分割動画ファイルをリクエストに応じて携帯電話に送信する動画ファイル送信サーバにおいて，携帯電話から送信された動画ファイル・リクエストを受信する動画ファイル・リクエスト受信手段，上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定するクリック・ファイル・リクエスト判定手段，上記クリック・ファイル・リクエスト判定手段によってクリック・ファイル・リクエストと判定されたことに応じて，リクエストされた動画ファイルが複数の分割動画ファイルの最初の分割動画ファイルではないかどうかを判定するリクエスト・ファイル判定手段，上記リクエスト・ファイル判定手段によって，リクエストされた動画ファイルが複数の分割動画ファイルの最初の分割動画ファイルではないと判定されたことに応じて，リクエストされた分割動画ファイルに広告データを挿入する広告データ挿入手段，および上記広告データ挿入手段によって広告データが挿入された分割動画ファイルを，動画ファイル・リクエストを送信した携帯電話に送信する分割動画ファイル送信手段を備えていることを特徴とする。
【０００９】
第１の発明は，上記動画ファイル送信サーバに適した動作制御方法も提供している。すなわち，この方法は，１つの動画ファイルが複数に分割されており，分割された複数の動画ファイルのうち，最初の動画ファイルに広告データが格納されている，そのような複数の分割動画ファイルをリクエストに応じて携帯電話に送信する動画ファイル送信サーバの動作制御方法において，動画ファイル・リクエスト受信手段が，携帯電話から送信された動画ファイル・リクエストを受信し，クリック・ファイル・リクエスト判定手段が，上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定し，リクエスト・ファイル判定手段が，上記クリック・ファイル・リクエスト判定手段によってクリック・ファイル・リクエストと判定されたことに応じて，リクエストされた動画ファイルが複数の分割動画ファイルの最初の分割動画ファイルではないかどうかを判定し，広告データ挿入手段が，上記リクエスト・ファイル判定手段によって，リクエストされた動画ファイルが複数の分割動画ファイルの最初の分割動画ファイルではないと判定されたことに応じて，リクエストされた分割動画ファイルに広告データを挿入し，分割動画ファイル送信手段が，上記広告データ挿入手段によって広告データが挿入された分割動画ファイルを，動画ファイル・リクエストを送信した携帯電話に送信するものである。
【００１０】
第１の発明によると，携帯電話から画像ファイル送信サーバに動画ファイル・リクエストが送信される。動画ファイル・リクエストが画像ファイル送信サーバにおいて受信されると，その動画ファイル・リクエストが，クリック・ファイル・リクエストかどうかが判定される。クリック・ファイル・リクエストの場合には，複数の分割動画ファイルのうち，ユーザによって選択された分割動画ファイルがリクエストされたものとなる。広告データは複数の分割動画ファイルのうち最初の分割動画ファイルに格納されているから，最初の分割動画ファイル以外の動画ファイルのリクエストであった場合には，携帯電話のユーザに広告を見せることができない。このために，リクエストされた分割動画ファイルに広告データが挿入される。広告データが挿入された分割動画ファイルが携帯電話に送信される。携帯電話のユーザが，複数の分割動画ファイルのうち，広告データが挿入されていない分割動画ファイルをリクエストした場合でも，そのユーザに広告を見せることができる。
【００１１】
第２の発明は，１つの動画ファイルが複数に分割されている複数の分割動画ファイルを，リクエストに応じて携帯電話に送信する動画ファイル送信サーバにおいて，携帯電話から送信された動画ファイル・リクエストを受信する動画ファイル・リクエスト受信手段，上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定するクリック・ファイル・リクエスト判定手段，上記クリック・ファイル・リクエスト判定手段によって，上記動画ファイル・リクエスト受信手段によって受信した動画ファイル・リクエストがクリック・ファイル・リクエストであると判定されたことに応じて，リクエストされた分割動画ファイルに広告データを挿入する広告データ挿入手段，上記広告データ挿入手段によって広告データが挿入された広告挿入済分割動画ファイルにつづく後続分割動画ファイルが存在するかどうかを判定する後続分割動画ファイル判定手段，上記後続分割動画ファイル判定手段によって，広告挿入済分割動画ファイルにつづく後続分割動画ファイルが存在すると判定されたことに応じて，広告挿入済分割動画ファイルが再生されたことによりその後続動画ファイルをリクエストする自動ファイル・リクエストを，広告挿入済分割動画ファイルに格納する自動ファイル・リクエスト格納手段，上記後続分割動画ファイル判定手段によって後続分割動画ファイルが存在すると判定されたことに応じて，上記自動ファイル・リクエスト格納手段によって自動ファイル・リクエストが格納された広告挿入済分割動画ファイルを動画ファイル・リクエストを送信した携帯電話に送信し，上記後続分割動画ファイル判定手段によって後続分割動画ファイルが存在しないと判定されたことに応じて，上記広告データ挿入手段によって広告データが挿入された広告挿入済分割動画ファイルを，動画ファイル・リクエストを送信した携帯電話に送信する分割動画ファイル送信手段を備えていることを特徴とする。
【００１２】
第２の発明は，上記動画ファイル送信サーバに適した動作制御方法も提供している。すなわち，この方法は，１つの動画ファイルが複数に分割されている複数の分割動画ファイルを，リクエストに応じて携帯電話に送信する動画ファイル送信サーバの動作制御方法において，動画ファイル・リクエスト受信手段が，携帯電話から送信された動画ファイル・リクエストを受信し，クリック・ファイル・リクエスト判定手段が，上記動画ファイル・リクエスト受信手段によって受信した動画ファイル・リクエストが携帯電話の表示画面に表示されたリンク情報がクリックされたことに応答して携帯電話から送信されるクリック・ファイル・リクエストかどうかを判定し，広告データ挿入手段が，上記クリック・ファイル・リクエスト判定手段によって，上記動画ファイル・リクエスト受信手段によって受信した動画ファイル・リクエストがクリック・ファイル・リクエストであると判定されたことに応じて，リクエストされた分割動画ファイルに広告データを挿入し，後続分割動画ファイル判定手段が，上記広告データ挿入手段によって広告データが挿入された広告挿入済分割動画ファイルにつづく後続分割動画ファイルが存在するかどうかを判定し，自動ファイル・リクエスト格納手段が，上記後続分割動画ファイル判定手段によって，広告挿入済分割動画ファイルにつづく後続分割動画ファイルが存在すると判定されたことに応じて，広告挿入済分割動画ファイルが再生されたことによりその後続動画ファイルをリクエストする自動ファイル・リクエストを，広告挿入済分割動画ファイル格納し，分割動画ファイル送信手段が，上記後続分割動画ファイル判定手段によって後続分割動画ファイルが存在すると判定されたことに応じて，上記自動ファイル・リクエスト格納手段によって自動ファイル・リクエストが格納された広告挿入済分割動画ファイルを，動画ファイル・リクエストを送信した携帯電話に送信し，上記後続分割動画ファイル判定手段によって後続分割動画ファイルが存在しないと判定されたことに応じて，上記広告データ挿入手段によって広告データが挿入された広告挿入済分割動画ファイルを動画ファイル・リクエストを送信した携帯電話に送信するものである。
【００１３】
第２の発明によると，携帯電話から動画ファイル送信サーバに動画ファイル・リクエストが送信される。動画ファイル送信サーバにおいて動画ファイル・リクエストが受信されると，受信した動画ファイル・リクエストが，クリック・ファイル・リクエストかどうかが判定される。クリック・ファイル・リクエストであると判定されると，リクエストされた分割動画ファイルに広告データが挿入される。また，広告データが挿入された広告挿入済分割動画ファイルにつづく後続分割動画ファイルが存在するかどうかが判定される。後続分割動画ファイルが存在すると，その広告挿入済分割動画ファイルが再生されたことによりその後続分割動画ファイルをリクエストする自動ファイル・リクエストが，その広告挿入済分割動画ファイルに格納される。後続分割動画ファイルが存在する場合には，自動ファイル・リクエストが格納された広告挿入済分割動画ファイルが動画ファイル送信サーバから携帯電話に送信され，後続分割動画ファイルが存在しない場合には，自動ファイル・リクエストが格納されていない広告挿入済分割動画ファイルが動画ファイル送信サーバから携帯電話に送信される。
【００１４】
携帯電話のユーザによってリンク情報がクリックされて分割動画ファイルがリクエストされる場合には，広告データが挿入された分割動画ファイルが携帯電話に送信されるので，携帯電話のユーザに広告を見せることができる。
【００１５】
上記クリック・ファイル・リクエスト判定手段によって，上記動画ファイル・リクエスト受信手段によって受信した動画ファイル・リクエストがクリック・ファイル・リクエストではないと判定されたことに応じて，上記動画ファイル・リクエスト受信手段において受信したリクエストが有効期限内のものかどうかを判定する有効期限判定手段，上記有効期限判定手段によって，上記動画ファイル・リクエスト受信手段において受信したリクエストが有効期限内のものと判定されたことに応じて，上記リクエストされた動画ファイルに続く後続分割動画ファイルが存在する場合にそのリクエストされた動画ファイルの後続動画ファイルをリクエストする上記自動ファイル・リクエストを格納するように上記自動ファイル・リクエスト格納手段を制御する制御手段，および上記有効期限判定手段によって，上記動画ファイル・リクエスト受信手段において受信したリクエストが有効期限外のものと判定されたことに応じて，動画ファイルをリクエストした携帯電話にエラー・メッセージを送信するエラー・メッセージ送信手段をさらに備えるようにしてもよい。
【図面の簡単な説明】
【００１６】
【図１】動画ファイル通信システムの概要を示している。
【図２】動画ファイル送信サーバの電気的構成を示すブロック図である。
【図３】送信用動画ファイル生成処理手順を示すフローチャートである。
【図４】（Ａ）〜（Ｄ）は，分割動画ファイルが生成される様子を示している。
【図５】携帯電話の表示画面の一例である。
【図６】ＨＴＭＬ記述文書の一例である。
【図７】動画ファイルの送信処理手順を示すフローチャートである。
【図８】送信用動画ファイル生成処理手順を示すフローチャートである。
【図９】動画ファイルの送信処理手順を示すフローチャートである。
【図１０】（Ａ）および（Ｂ）は，ＵＲＬの一例である。
【実施例】
【００１７】
図１は，この発明の実施例を示すもので，動画ファイル通信システムの概要を示している。
【００１８】
動画ファイル通信システムには，携帯電話１と動画ファイル送信サーバ２とが含まれている。携帯電話１と動画ファイル送信サーバ２とはインターネットのようなネットワークにより互いに通信可能である。
【００１９】
図１においては，携帯電話１は一台のみが図示されているが多数の携帯電話１が動画ファイル送信サーバ２と通信するのはいうまでも無い。
【００２０】
図２は，動画ファイル送信サーバ２の電気的構成を示すブロック図である。
【００２１】
動画ファイル送信サーバ２の全体の動作は，ＣＰＵ12によって統括される。
【００２２】
動画ファイル送信サーバ２には，動画ファイルなどのコンテンツを取得するコンテンツ取得装置３，所定の処理を制御する処理制御装置４，符号化装置５，携帯電話１に送信する動画ファイルを生成する送信動画生成装置６，動画ファイルが格納される動画データベース７，動画データベース７を制御する動画データベース制御装置８，動画データベース７に格納されている動画へのリンクを生成する動画リンク生成装置９，および動画リンクを動画ファイルに埋め込む動画リンク埋め込み装置11が含まれている。
【００２３】
また，動画ファイル送信サーバ２には，動作プログラムその他のデータを格納するメイン・メモリ13，メイン・メモリ13を制御するメモリ制御装置14，携帯電話１の再生仕様を表すデータが格納されている端末仕様データベース15，端末仕様データベース15から仕様データを読み取る端末再生仕様取得装置16，コンテンツを送信するコンテンツ送信装置17，携帯電話１から送信される動画ファイル・リクエスト等を受信する送信要求受付装置18，HTML（HyperText Markup Language）ページを生成するためのHTMLファイルを生成するHTML生成装置19および動画ファイルに広告データを挿入するた広告挿入装置20が含まれている。
【００２４】
さらに，動画ファイル送信サーバ2には，後述するように携帯電話1から送信されたリクエストの有効期限を確認するための有効期限確認装置10が含まれるようにしてもよい。
【００２５】
図３は，携帯電話1に送信する動画ファイルを生成する動画ファイル送信サーバ２の処理手順を示すフローチャート，図４（Ａ）〜（Ｄ）は，携帯電話1に送信される動画が生成される様子を示している。
【００２６】
図３に示す処理は，一の動画ファイルについて送信対象となるすべての種類の携帯電話１用の動画ファイルを生成するものである。
【００２７】
動画データベース７に格納されている動画ファイルの中から所望の動画ファイルが読み取られる（ステップ31）。つづいて，送信対象となる携帯電話１の再生仕様データが端末仕様データベース15から読み取られ（ステップ32），変換パラメータが決定される（ステップ33）。決定された変換パラメータを用いて送信対象となる携帯電話１において再生できるように動画ファイルの変換処理が行われる（ステップ34）。変換後の動画ファイルのデータ量が送信対象となる携帯電話１が受信可能なデータ量以上であれば，送信対象となる携帯電話１が受信できるように１つの動画ファイルが複数の動画ファイルに分割される（分割動画ファイル）。たとえば，分割前の動画ファイルが図４（Ａ）に示すように動画ファイルＦＭであるとし，その動画ファイルＦＭのデータ量が多いために送信対象となる携帯電話１が受信できないものする。すると，図４（Ｂ）に示すように，複数の分割動画ファイルｆ１，ｆ２およびｆ３に分割される。３つの分割動画ファイルに分割されているが携帯電話１が受信できれば２または４以上の分割動画ファイルに分割されてもよいのはいうまでもない。
【００２８】
変換処理が終了すると，動画ファイルによって表される動画の先頭部分に広告が挿入されるように，動画ファイルに広告データが挿入される（ステップ35）。図４（Ｂ）に示すように，３つの分割動画ファイルｆ１，ｆ２およびｆ３が生成されたものとすると，図４（Ｃ）に示すように３つの分割動画ファイルｆ１，ｆ２およびｆ３のうち最初の分割動画ファイルｆ１に広告データＣＭが挿入される。動画ファイルが分割されなかった場合には，その動画ファイルによって表される動画の先頭の部分に広告データが挿入される。もっとも，広告データによって表される広告は，動画の先頭部分に表示されなくてもよい。
【００２９】
変換処理により動画ファイルが複数の分割動画ファイルに分割された場合には（ステップ36でＹＥＳ），自動ファイル・リクエストが生成され，生成された自動ファイル・リクエストが分割動画ファイルに埋め込まれる（ステップ37）。自動ファイル・リクエストは，分割動画ファイルによって表される分割動画の再生が終了した場合において，続きの後続分割動画が存在するときにその続きの後続分割動画を表す後続分割動画ファイルを動画ファイル送信サーバ２にリクエストするものである。たとえば，図４（Ｃ）に示すように，３つの分割動画ファイルｆ１，ｆ２およびｆ３のうち最初の分割動画ファイルｆ１は，後続分割動画ファイルとして分割動画ファイルｆ２が存在するから，自動ファイル・リクエストＲ１が生成され，その自動ファイル・リクエストＲ１が分割動画ファイルｆ１に埋め込まれる（図４（Ｄ））。同様に，２番目の分割動画ファイルｆ２には後続分割動画ファイルとして分割動画ファイルｆ３が存在するから，自動ファイル・リクエストＲ２が生成され，その自動ファイル・リクエストＲ２が分割動画ファイルｆ２に埋め込まれる。３番目の分割動画ファイルｆ３には後続分割動画ファイルが存在しないから自動ファイル・リクエストは埋め込まれない。動画ファイルが複数に分割されない場合には（ステップ36でＮＯ），自動ファイル・リクエストは埋め込まれない。
【００３０】
すべての携帯電話に送信するための送信用動画ファイルが生成されるまで，ステップ32から37までの処理が繰り返される（ステップ38）。
【００３１】
最初の分割動画ファイルｆ１の格納場所は（動画リンク）http://abcdefg.com/movie/xxxx_1.3gpで表され，２番目の分割動画ファイルｆ２の格納場所はhttp://abcdefg.com/movie/xxxx_2.3gpで表され，３番目の分割動画ファイルｆ３の格納場所はhttp://abcdefg.com/movie/xxxx_3.3gpで表されるものとする。
【００３２】
分割動画ファイルｆ１またはｆ２に埋め込まれる自動ファイル・リクエストは後述するように，携帯電話1のユーザによってクリックされたことにより発生するクリック・ファイル・リクエストと区別する必要がある。このために，クリック・ファイル・リクエストにより，最初の分割動画ファイルｆ１がリクエストされる場合のＵＲＬがhttp://abcdefg.com/movie/xxxx_1.3gp，２番目の分割動画ファイルｆ２がリクエストされる場合のＵＲＬがhttp://abcdefg.com/movie/xxxx_2.3gp，３番目の分割動画ファイルｆ３がリクエストされる場合のＵＲＬがhttp://abcdefg.com/movie/xxxx_3.3gpとすると，自動ファイル・リクエストには，クリック・ファイル・リクエストのときのＵＲＬの拡張子を除いたファイル名の部分の最後にｍが付加される。すなわち，自動ファイル・リクエストにより２番目の分割動画ファイルｆ２がリクエストされるＵＲＬはhttp://abcdefg.com/movie/xxxx_2m.3gpとなり，３番目の分割動画ファイルf3がリクエストされるＵＲＬはhttp://abcdefg.com/movie/xxxx_3m.3gpとなる。したがって，最初の分割動画ファイルｆ１には２番目の分割動画ファイルｆ２をリクエストするためにhttp://abcdefg.com/movie/xxxx_2m.3gpのＵＲＬをリクエストする自動ファイル・リクエストＲ１が格納される。同様に，２番目の分割動画ファイルｆ２には３番目の分割動画ファイルｆ３をリクエストするためにhttp://abcdefg.com/movie/xxxx_3m.3gpのＵＲＬをリクエストする自動ファイル・リクエストＲ２が格納される。
【００３３】
携帯電話１から自動ファイル・リクエストが送信された場合，上述したようにＵＲＬ（uniform resource locator）にはクリック・ファイル・リクエストと区別するために「ｍ」の文字が付加されているから，リクエストされた分割動画ファイルを見つけ出すためには「ｍ」が削除される。「ｍ」が削除されたＵＲＬがリクエストされた分割動画ファイルの格納場所を示すこととなり，リクエストされた分割動画ファイルが見つけられる。
【００３４】
図５は，携帯電話１の表示画面に表示される送信リクエスト・ページの一例である。
【００３５】
携帯電話１の表示画面50に送信リクエスト・ページ51が表示されている。リクエスト画像51の上部には，「動画の再生」の文字列52が表示されている。その「動画の再生」の文字列の下部には，「再生（１／３）」の文字列53，「再生（２／３）」の文字列54および「再生（３／３）」の文字列55（これらの文字列53〜55がリンク情報である）が表示されている。これらの「再生（１／３）」の文字列53，「再生（２／３）」の文字列54および「再生（３／３）」の文字列55は，３つに分割された分割動画ファイルをリクエストするときに携帯電話１のユーザによってクリックされるものである。「再生（１／３）」の文字列53がクリックされることにより，３つに分割された分割動画ファイルの最初の動画ファイルをリクエストするクリック・ファイル・リクエストが携帯電話１から動画ファイル送信サーバ２に送信される。「再生（２／３）」の文字列54がクリックされることにより，３つに分割された分割動画ファイルの２番目の動画ファイルをリクエストするクリック・ファイル・リクエストが携帯電話１から動画ファイル送信サーバ２に送信される。「再生（３／３）」の文字列55がクリックされることにより，３つに分割された分割動画ファイルの最後の動画ファイルをリクエストするクリック・ファイル・リクエストが携帯電話１から動画ファイル送信サーバ２に送信される。
【００３６】
図６は，図５に示す送信リクエスト・ページ50を表すHTML（hyper-text markup language）記述文書の一例である。図６においてはわかりやすくするために，左側に行数が表示されている。
【００３７】
第１行はHTML文書の開始を示しており，第２行から第４行はバージョンなどを示している。第５行はヘッダの開始を示し，第6行はヘッダの終了を示している。
【００３８】
第７行から第17行がボディである。第８行，第10行，第12行，第14行，第16行はそれぞれ改行を示している。第９行は上述した「動画の再生」の文字列52を示している。第11行，第13行および第15行には上述した「再生（１／３）」の文字列53，「再生（２／３）」の文字列54および「再生（３／３）」の文字列55を示しており，それぞれハイパーリンクのターゲットとなるＵＲＬが指定されている。「再生（１／３）」の文字列53がクリックされることにより，第11行に規定されているＵＲＬに格納されているファイルをリクエストするクリック・ファイル・リクエストが携帯電話１から動画ファイル送信サーバ２に送信される。「再生（２／３）」の文字列54または「再生（３／３）」の文字列55がクリックされた場合も同様である。
【００３９】
図７は，携帯電話１から送信された動画ファイル・リクエストに応答して動画ファイルを送信する場合の動画ファイル送信サーバの処理手順を示すフローチャートである。この処理手順は，分割動画ファイルがリクエストされる場合のものである。
【００４０】
携帯電話１から送信された動画ファイル・リクエスト（自動ファイル・リクエストまたはクリック・ファイル・リクエスト）が動画ファイル・サーバ２において受信されると（ステップ41でＹＥＳ），受信した動画ファイル・リクエストが，クリック・ファイル・リクエストかどうかが判定される（ステップ42）。
【００４１】
分割動画ファイルには，最初の分割動画ファイルにのみ広告データが格納されており，そのほかの分割動画ファイルには広告データが格納されていないので，最初の分割動画ファイルが携帯電話に送信されていない場合に，最初の分割動画ファイル以外のリクエストがあると，携帯電話のユーザに広告を見せることができない。このために，クリック・ファイル・リクエストであれば（ステップ42でＹＥＳ），リクエストされた分割動画ファイルが２番目以降の分割動画ファイルかどうかが判定される（ステップ43）。リクエストされた分割動画ファイルが２番目以降の分割動画ファイルであれば（ステップ43でＹＥＳ），リクエストされた分割動画ファイルに広告データが挿入される（ステップ44）。広告データが挿入された分割動画ファイルが携帯電話１に送信される（ステップ45）。複数の分割動画ファイルのうち，最初の分割動画ファイルに広告データが挿入されており，２番目以降の分割動画ファイルに広告データが挿入されていない場合において，最初の分割動画ファイルが送信されないで，２番目以降の分割動画ファイルがリクエストされた場合でも広告データが挿入された分割動画ファイルが携帯電話１に送信されるので，ユーザに広告を見せることができる。
【００４２】
動画ファイル・リクエストがクリック・ファイル・リクエストでなく（ステップ42でＮＯ），自動ファイル・リクエストであると考えられる。自動ファイル・リクエストの場合には，分割動画ファイルが再生されたことにより携帯電話１から発生するものであるから，携帯電話１には最初の分割動画ファイルが送信されているものと考えられるので，ユーザは広告を見ていることとなる。広告を見たユーザに再び広告を見せてしまうことを未然に防止するために，リクエストされた分割動画ファイルに広告データを挿入することなく，リクエストされた分割動画ファイルが携帯電話に送信される（ステップ45）。
【００４３】
クリック・ファイル・リクエストによりリクエストされた分割動画ファイルが最初の分割動画ファイルの場合には（ステップ43でＮＯ），広告データが挿入されているので広告データが再度挿入されることになくリクエストされた分割動画ファイルが携帯電話１に送信される（ステップ45）。
【００４４】
携帯電話１から送信されたリクエストが自動ファイル・リクエストの場合には，上述したようにリクエストする分割動画ファイルの格納場所を表すＵＲＬから「ｍ」の文字が削除されて，所望の分割動画ファイルが見つけられるのはいうまでもない。もっとも，「ｍ」の文字の有無にかかわらず，同一の格納場所を示すように動画ファイル送信サーバ２が設定されていれば，「ｍ」の文字の削除にかかわらず，所望の分割動画ファイルが見つけられる。
【００４５】
図８から図10は他の実施例を示すものである。この実施例は，最初の分割動画ファイルにあらかじめ広告データが挿入されているものではなく，リクエストがあった場合に必要に応じて広告データが分割動画ファイルに挿入されるものである。
【００４６】
図８は，送信用動画ファイルの生成処理手順を示すフローチャートである。図８は，図３に示す処理に対応するもので，図３の処理と同一の処理については同一符号が付されている。
【００４７】
図３に示す処理と同様に，動画ファイルが動画データベース７から読み取られ（ステップ31），読み取られた再生仕様にしたがって変換パラメータが決定される（ステップ32，33）。決定された変換パラメータを用いて変換処理が行われる（ステップ34）。ステップ32〜34の処理がすべての携帯電話１について行われる（ステップ35）。
【００４８】
このように，図８に示す処理では広告データの挿入および自動ファイル・リクエストの埋め込みは行われない。
【００４９】
図９は図７に対応するもので，動画ファイル送信サーバ２の動画ファイル送信処理手順を示すフローチャートである。図９に示す処理手順は，携帯電話１から分割動画ファイルのリクエストがあると必要に応じて広告データの挿入，自動ファイル・リクエストの埋め込みなどが行われるものである。
【００５０】
携帯電話１からの動画ファイル・リクエストが動画ファイル送信サーバ２において受信されると（ステップ61でＹＥＳ），動画ファイル・リクエストが，クリック・ファイル・リクエストかどうかが判定される（ステップ62）。
【００５１】
クリック・ファイル・リクエストであれば（ステップ62でＹＥＳ），携帯電話１のユーザによって上述のように携帯電話１の表示画面に表示されるリンク情報がクリックされたことにより動画ファイル送信サーバ２に送信されたリクエストであり，動画が一度も再生されていずユーザが広告を見ていない可能性があるので，リクエストされた分割動画ファイルに広告データが挿入される（ステップ63）。つづいて，リクエストされた分割動画ファイルにつづく後続分割動画ファイルが存在するかどうかが判定される（ステップ64）。後続分割動画ファイルが存在する場合には，リクエストされた分割動画ファイルの再生終了により後続分割動画ファイルをリクエストする自動ファイル・リクエストが生成される。生成された自動ファイル・リクエストがリクエストされた分割動画ファイルに埋め込まれる（ステップ65）。後続分割動画ファイルが存在しない場合にはステップ65の処理はスキップされる。リクエストされた分割動画ファイルが携帯電話１に送信される（ステップ66）。
【００５２】
携帯電話１から送信された動画ファイル・リクエストがクリック・ファイル・リクエストでなく自動ファイル・リクエストであると（ステップ62でＮＯ），その自動ファイル・リクエストが有効期限内のものであるかどうかが判定される（ステップ67）。
【００５３】
有効期限内のものであれば（ステップ68でＹＥＳ），自動ファイル・リクエストが送信される場合には携帯電話１のユーザは広告をすでに閲覧していると考えられるので，リクエストされた分割動画ファイルに広告データが挿入されることはない。後続分割動画ファイルがあれば（ステップ64でＹＥＳ），リクエストされた分割動画ファイルに自動ファイル・リクエストが埋め込まれて携帯電話１に送信される（ステップ65，66）。
【００５４】
有効期限外のものであれば（ステップ68でＮＯ），エラー・メッセージが携帯電話１に送信される（ステップ69）。
【００５５】
自動ファイル・リクエストのためのＵＲＬが知られると広告データが挿入されている分割動画ファイルによって表わされる動画を閲覧することなく，その自動ファイル・リクエストのためのＵＲＬの格納場所の分割動画ファイルが直接リクエストされることがある。そのような場合には，広告を見せることなく分割動画が閲覧されてしまうので，自動ファイル・リクエストに有効期限が設けられ，その有効期限内の自動ファイル・リクエストに対して分割動画ファイルが送信されることとなる。
【００５６】
分割動画ファイルに格納される自動ファイル・リクエストに対応した有効期限データを動画ファイル送信サーバ２において記憶しておき，受信した自動ファイル・リクエストの受信日時が記憶されている有効期限データによって表される有効期限内かが分かる。
【００５７】
また，自動ファイル・リクエストに含まれるＵＲＬに有効期限を含ませることもできる。
【００５８】
図10（Ａ）および（Ｂ）は，有効期限が含まれるＵＲＬの一例である。
【００５９】
図10（Ａ）に示すＵＲＬには，「20081231」という数字の文字列が含まれている。この数字の文字列が有効期限の年月日（2008年12月31日）を示している。この数字の文字列を用いて有効期限内の自動ファイル・リクエストかどうかを判定することができる。
【００６０】
図10（Ｂ）は，有効期限を示す数字の文字列が暗号化されたＵＲＬの一例である。暗号化されることにより，有効期限が推測されてしまうことを未然に防止できる。暗号化された文字列が含まれたＵＲＬが動画ファイル送信サーバ２において受信されると，復号されることにより，図10（Ａ）に示すＵＲＬが得られ，自動ファイル・リクエストが有効期限内にあるかどうかを判定できる。ＵＲＬに有効期限が含まれている場合には，その有効期限の文字列を除いた文字列によって，リクエストする分割動画ファイルの格納場所が特定される。
【００６１】
また，自動ファイル・リクエストに含まれるＵＲＬに有効期限を示す文字列が含まれていると，クリック・ファイル・リクエストに含まれるＵＲＬの文字列よりも多くなる。このために，ＵＲＬの文字列を用いて自動ファイル・リクエストかクリック・ファイル・リクエストかを判定することもできる。たとえば，ファイル名が８文字以下であれば，クリック・ファイル・リクエストと判定でき，ファイル名が９文字以上であれば自動ファイル・リクエストであると判定できる。
【００６２】
また，リクエストの判定にファイル名を用いずにＵＲＬに引数を記載したり，有効期限についても引数を利用したりしても良い。また,出力フォーマットは上述した３ｇｐ以外のものでもよいし，HTMLページに埋め込む形式でなくとも他の形式でもよい。
【００６３】
有効期限について暗号化するだけでなく，広告データが挿入されていない分割動画を指定するＵＲＬを暗号化してもよい。また，広告データ以外の情報を挿入してもよい。
【符号の説明】
【００６４】
１  携帯電話
２  動画ファイル送信サーバ
ｆ１，ｆ２，ｆ３  分割動画ファイル
【図１】
2010199679.tif 000003
【図２】
2010199679.tif 000004
【図３】
2010199679.tif 000005
【図４】
2010199679.tif 000006
【図５】
2010199679.tif 000007
【図６】
2010199679.tif 000008
【図７】
2010199679.tif 000009
【図８】
2010199679.tif 000010
【図９】
2010199679.tif 000011
【図１０】
2010199679.tif 000012